(57)【要約】      （修正有）【課題】小型で狭い室内にも設置でき、設備費や運転コストも安く、携帯も容易で、体の必要な部位を効率よく温めることができる健康ヒータを提供する。【解決手段】健康ヒータ１は、セラミック粉末を布生地に担持させてなる布生地層２と面状発熱体４間に焼結したセラミックや鉱石３を敷き詰めてなり、セラミックや鉱石３を加熱して遠赤外線を放射する。したがって、簡単な構造により、遠赤外線を多量に放射して体を内部から直接温めて、血管を広げて血行を促進し、痛みの原因となる筋肉の緊張や老廃物を除去し、また乾燥した雰囲気で使用するので心臓に負担をかけることもない。【選択図】図１
2008279029.tif 000002
【特許請求の範囲】
【請求項１】
セラミック粉末を布生地に担持させてなる布生地層と面状発熱体間に焼結したセラミックや鉱石を敷き詰めてなることを特徴とする健康ヒータ。
【請求項２】
前記布生地層は、焼結したセラミックや鉱石を粒径２μｍ以下に粉末化する工程と、粉末化した焼結セラミックや鉱石を印刷インクに混合する工程と、焼結セラミックや鉱石を混合した印刷インクを布生地に塗布する工程とにより得られる請求項１記載の健康ヒータ。
【請求項３】
前記布生地層をほぼ同一形状の２区画に分離し、前記布生地層の２区画によって前記面状発熱体を介して対向する外側が形成されてなる請求項１又は請求項２記載の健康ヒータ。
【発明の詳細な説明】
【技術分野】
【０００１】
本発明は焼結したセラミックや鉱石から発生する遠赤外線の放射により体を温める電熱式の健康ヒータに関するものである。
【背景技術】
【０００２】
一般に健康の促進や、あるいは腰痛や肩こり、膝の痛みなど体の痛い時に、温泉やサウナに入って体を温めて治療することが行なわれている。この温泉やサウナは、湯や蒸気により体を温めて全身の血行を高め、発汗作用を促進して老廃物を体外に排出させることにより治療効果が得られるものである。
【０００３】
しかし、この特許文献１などに示される温泉やサウナは、体全身を暖めることに利用されるものであって、体の表面から温めるので内部まで温まるのに時間がかかり、また高温多湿の環境下で長時間入浴していると心臓に負担がかかり、湯疲れによる疲労も激しいため、体力が減退した者や高齢者等には過剰な負担があり、その利用には限界がある。
【０００４】
この温泉やサウナは、体全身を暖めることに利用されるものであるため一定以上の空間が必要で、そのための設備・施設が必要であり、一般家屋に安価に、簡易に備えることはできなかった。また、旅行等の際に簡易にプライベートに利用することができる性格のものでもなかった。
【特許文献１】特開平５−２６９１７７号公報
【発明の開示】
【発明が解決しようとする課題】
【０００５】
本発明は以上の従来の問題点に鑑み、小型で狭い室内にも設置でき、設備費や運転コストも安く、携帯も容易で、体の必要な部位を効率よく温めることができる健康ヒータを提供することを目的とする。
【課題を解決するための手段】
【０００６】
すなわち本発明のセラミック粉末を布生地に担持させてなる布生地層と面状発熱体間に焼結したセラミックや鉱石を敷き詰めてなることを特徴とする。
【０００７】
前記布生地層は、焼結したセラミックや鉱石を粒径２μｍ以下に粉末化する工程と、粉末化した焼結セラミックや鉱石を印刷インクに混合する工程と、焼結セラミックや鉱石を混合した印刷インクを布生地に塗布する工程とにより得ることができる。
【０００８】
前記布生地層をほぼ同一形状の２区画に分離し、前記布生地層の２区画によって前記面状発熱体を介して対向する外側が形成されてなるようにすることができる。
【発明の効果】
【０００９】
本発明の健康ヒータによれば、簡単な構造により、遠赤外線を多量に放射して体を内部から直接温めて、血管を広げて血行を促進し、痛みの原因となる筋肉の緊張や老廃物を除去し、また乾燥した雰囲気で使用するので心臓に負担をかけることもない。
また本発明の健康ヒータは、小型の加熱装置で十分であり、設備費が安い上、消費する電力も少なく、個人の家庭などの狭い室内にも設置することができ、携帯も可能である。
また布生地層にセラミック粉末層を設けるので、このセラミック粉末層からも遠赤外線が照射され、体全体に全方向から効率よく加熱することができる。
【発明を実施するための最良の形態】
【００１０】
以下本発明の実施の一形態を図１ないし図３を参照して詳細に説明する。
図１において健康ヒータ１は、セラミック粉末を布生地に担持させてなる布生地層２と面状発熱体４間に焼結したセラミックや鉱石３を敷き詰めてなる。
【００１１】
布生地２ａには通常のフェルトを用いることができ、この布生地２ａに粉末化した焼結セラミックや鉱石を混合したアルコールを塗布し乾燥して粒径２μｍ以下の焼結したセラミックや鉱石粉末２ｂを担持した布生地層２を得ることができる。
布生地層２を得る手法としてシルク印刷を用いることができる。
シルク印刷とは、孔版をスクリーンとして印刷対象を覆い、孔からインクを付けて印刷する方法であり、シルクスクリーン、スクリーン印刷ともいう。
シルク印刷で使用するスクリーン版は、版が柔軟で印刷対象が布生地２ａでも対応できること、印圧が少なくてすむこと、多様なインク種類に対応できることなど利点も多く、布への特殊印刷を行うことができる。
【００１２】
面状発熱体４には電源ケーブル５が接続されており、電源ケーブル５を介する通電によって面状発熱体４が発熱する。
【００１３】
前記布生地層２は、焼結したセラミックや鉱石を粒径２μｍ以下に粉末化する工程と、粉末化した焼結セラミックや鉱石を印刷インクに混合する工程と、焼結セラミックや鉱石を混合した印刷インクを布生地２ａに塗布する工程とにより得ることができる。
【００１４】
図２，図３に示されるように、前記布生地層２をほぼ同一形状の２区画２ｂ、２ｃに分離し、前記布生地層２の２区画２ｂ、２ｃによって面状発熱体４を介して対向する外側面が形成されてなるようにし、さらにその外側をカバー６によって被覆して本発明の健康ヒータ１となすこともできる。
【００１５】
鉱石３としては通称ＳＧＥストーンを用いることができる。このＳＧＥストーンは大分県と宮崎県を分かつ１０００ｍ級の峰々が連なる九州山地の北東に位置し、約３億年前の古生代二畳紀から約１億５０００万年前の中生代ジュラ紀にかけて誕生した「秩父古生層」と構造線を境に接する、約１億３０００万年前の中生白亜紀から約１５００万年前の新生代新第三紀にかけて誕生した地層「四万十帯」にその鉱床が形成されている。
【００１６】
この「四万十帯」は、東南太平洋の中央海嶺で海山や海台が、プレートに乗って１億年を経て日本列島に接近、衝突し陸源堆積物を付加し形成された地層と考えられている。
この地は阿蘇のカルデラをはるかにしのぐ世界最大級のカルデラの痕跡が、今なお残る地であり、祖母山、傾山、そして大崩山など中生代の活発な火山活動により誕生したカルデラ火山群のほぼ中核に位置している。１５００万年前のこの世界最大級カルデラの誕生は日本列島が大陸から離れて現在のような列島となった時期と一致している。
【００１７】
ＳＧＥストーンの生成は、約６０００万年前〜１５００万年の中生代後期から新生代にかけての祖母山、傾山、そして大崩山の大規模な火成活動に端を発し、世界最大級のカルデラ形成の原因となった大崩山および、それをとりまく直径３０kmほどの大岩脈・環状岩脈（リングダイク）の大規模火山活動は、それ以前の中生代前期に形成された「四万十帯」地層に多大なる影響をもたらした。
【００１８】
ＳＧＥストーンは、この大崩山の大規模火山活動にともない噴出した花崗岩マグマの後火成作用および変成作用により、「四万十帯」地層を構成する海洋底堆積岩である砂岩が大きな変成をうけて誕生した鉱物である。
さらに、ＳＧＥストーンに存在する菫青石（（Fe.Mg)2Al4Si5O18）をはじめとする変成鉱物や、特徴的な化学組成鉱山物質は、この鉱石が火山活動により花崗岩マグマから放出された約４００℃〜５００℃の揮発性の火山性ガスによって、約１万年という長い歳月をかけて熱変成を受けて誕生したことによると思われる。
【００１９】
さらに、ＳＧＥストーンはSiO2(二酸化珪素)や、MgO(酸化マグネシウム)、Al2O3（酸化アルミニウム）、Fe2O3（二酸三化鉄）、K2O(酸化カリウム)といった基本元素の他に、バナジウム、ラドン、ルミジウム、チタン、ジルコニウムなどといった一般の岩石ではみられない微量金属元素や、さらには、ランタン、ルテチウム、エルビウムなど地球の始源的組成とされる希土類元素を多種含有している。
自然界のすべての物体は、生長エネルギーともいうべき微弱な放射線を放出しており、その９割はウラン系、トリウム系の放射線といわれる。
【００２０】
これに対して、SGEストーンは、カリウム系の放射性同位体である「40Ｋ」が、生体に良いとされる放射性ホルムシスレベルのエネルギーを放射しており、その値は8.1×10q/gと、一般に知られている薬石と比較してかなり高い部類に属しているのが大きな特長である。
また、エネルギー鉱石の特長の一つとされるSiO2（珪酸）含有量が７０％というのも特筆に値する。
【００２１】
さらに、もうひとつの大きな特長としては、高遠赤外線放射体である点があげられる。4.0〜24μm波長域の遠赤外線放射率は平均で９５％と極めて高い放射率を持っている。
一般に、体温３６℃の人体の波長は9.4μmに相当するが、SGEストーンは、育成波長といわれる4〜14μmの遠赤外線エネルギーを放出し、生体構成分子と共鳴・共振することにより、大きなエネルギーを発生させている可能性が考えられる。
【００２２】
SGEストーンの構成鉱物調査では、石英（α-SiO2）を主体の曹長石（NaAlSi3O8）や雲母の一種であるアナイト（KFe3(SiAl)4O10(OH)2）の他、微量のバラ珪灰石（β-CaSiO3）を含有していることがわかっている。
また、化学組成では、マグネシウムやカルシウム、カリウムといった主要元素はもちろんのこと、必須微量元素の種類が極めて豊富であることが、この鉱石の大きな特長となっており、生体に重要な役割を果たしていると考えられる必須微量元素の大半を含有している。
【００２３】
例えば糖尿病の改善に関連するバナジウム、活性酸素消去酵素であるＳＯＤ（スーパーオキシドディスムターゼ）の活性と密接な関係があるマンガン、銅、亜鉛、さらには生物の成長因子に関係するコバルト、生体内で極微量ながら他の元素と共存し生体維持に関わるといわれるチタン、免疫促進効果、抗炎症作用に関わるセレンなどなど、一般の岩石ではみられない微量金属元素や、さらには地球の始源的組成とされる希土類元素を多種含有している。
【００２４】
係るＳＧＥストーンの作用としては、
・トルマリン石よりも強力な遠赤外線作用、
・備長炭と異なる防臭・防腐作用、
・浄水器や整水器とは違う活水作用、
・生物成長促進作用
が認められる。
【００２５】
さらにＳＧＥストーンは個々の細胞がもつ本来の細胞活力をよみがえらせ、免疫力を高める細胞賦活作用があり、これは生体に重要な役割を果たしていると考えられる必須微量元素の大半をバランスよく含有していることにより、細胞活性化作用・免疫機能促進作用・血流促進作用等があり身体の代謝機能を高めることによる。
【００２６】
これによりＳＧＥストーンには
・疲労回復
・短時間睡眠でも疲れにくい
・体脂肪の減少
・体重減少
・排便臭がほとんど消える
・シミがきれいになった
・病気に対する抵抗力を高める
機能が認められる。
【００２７】
さらにＳＧＥストーンは油脂などの酸化、劣化を防止する機能である抗酸化作用があり、身体を老化させる原因である過酸化脂質（身体のサビ）が作られるのを、抑える働きがある。
【００２８】
さらにＳＧＥストーンには汚染物質を分解し、悪臭の発生を防止する機能である消臭・分解作用があり、長期にわたる使用によっても汗等を吸引した布生地２ａから悪臭が発生するようなことはない。
【図面の簡単な説明】
【００２９】
【図１】（ａ）本発明の一実施の形態の健康ヒータの正面図、（ｂ）本発明の一実施の形態の健康ヒータの分解平面図、（ｃ）本発明の一実施の形態の健康ヒータの部分断面図、（ｄ）図１（ａ）におけるＡ−Ａ断面図、（ｅ）本発明の一実施の形態の健康ヒータの部分分解模式図である。
【図２】本発明の一実施の形態の健康ヒータの分解平面図
【図３】本発明の一実施の形態の健康ヒータの断面模式図
【図１】
2008279029.tif 000003
【図２】
2008279029.tif 000004
【図３】
2008279029.tif 000005